(57)【要約】      （修正有）【課題】抵抗の減少が可能なだけでなく、接続パッドの数や可撓性印刷回路基板の面積を増やさない両面式ラミネーションのタッチパネルを提供する。【解決手段】透明基板上に形成された複数の第１電極列３１Ａからなる。複数対の接続パッド３４Ａがそれぞれ前記第１電極列に対応し、各対の接続パッドは互いに遮断された第１接続パッド３４１Ａと第２接続パッド３４２Ａからなる。第１電極列の第１端は対応する第１トレース３２Ａによって対応する第１接続パッドに接続され、第１電極列の第２端は対応する第２トレース３３Ａによって対応する第２接続パッドに接続される。【選択図】図４Ｂ
0003183453.tif 000002
【実用新案登録請求の範囲】
【請求項１】
透明基板と、
前記透明基板上に形成された複数の第１電極列と、
それぞれ前記第１電極列に対応して、各対が第１接続パッドと第２接続パッドからなり、互いに遮断されている複数対の接続パッドと、
それぞれ前記第１電極列に対応する複数の第１トレースであって、前記第１電極列の第１端が対応する前記第１トレースによって対応する前記第１接続パッドに接続されるものと、
それぞれ前記第１電極列に対応する複数の第２トレースであって、前記第１電極列の第２端が対応する前記第２トレースによって対応する前記第２接続パッドに接続されるものと、
からなることを特徴とする両面式ラミネーションのタッチパネル。
【請求項２】
更に、複数の接合パッドを含んでそれぞれ前記接続パッドに対応する接続部材を備えることを特徴とする請求項１に記載の両面式ラミネーションのタッチパネル。
【請求項３】
更に、前記透明基板上に形成された複数の第２電極列を備え、前記第２電極列は対応する前記第１トレースによって対応する前記第１接続パッドに接続され、且つ、対応する前記第２トレースによって対応する前記第２接続パッドに接続されることを特徴とする請求項１に記載の両面式ラミネーションのタッチパネル。
【請求項４】
各前記第１電極列は直列に接続された複数の第１電極を備え、各前記第２電極列は直列に接続された複数の第２電極を備えることを特徴とする請求項３に記載の両面式ラミネーションのタッチパネル。
【請求項５】
更に、第１軸方向のトレースと第２軸方向のトレースの間に設けられたダミー（ｄｕｍｍｙ）トレースを備え、前記第１軸方向のトレースは前記第１電極列の第１トレース、第２トレースから成り、前記第２軸方向のトレースは前記第２電極列の第１トレース、第２トレースから成ることを特徴とする請求項３に記載の両面式ラミネーションのタッチパネル。
【請求項６】
更に、前記接続パッドの間或いは前記接続パッドと電源パッドの間に設けられた少なくとも１つのダミー（ｄｕｍｍｙ）接続パッドを備えることを特徴とする請求項１に記載の両面式ラミネーションのタッチパネル。
【考案の詳細な説明】
【技術分野】
【０００１】
本考案は、両面式ラミネーションのタッチパネルに関する。
【背景技術】
【０００２】
タッチディスプレイは検知技術と表示技術を組み合わせて製作された入出力装置であり、携帯用や手持ち式といった電子装置内に普遍的に使用される。
【０００３】
静電容量式タッチパネルは常用されるタッチパネルであり、容量性カップリング効果を利用してタッチ位置を検知する。手指が静電容量式タッチパネルの表面にタッチすると、対応する位置の静電容量が変更されることで、タッチ位置を検知することができる。
【先行技術文献】
【特許文献】
【０００４】
【特許文献１】台湾出願特許第Ｍ３６４９１３号公報
【考案の概要】
【考案が解決しようとする課題】
【０００５】
然しながら、前述した従来の技術では次のような問題がある。
図１Ａは公知のタッチパネルの概略図を示しているが、これは特許文献１の「信号の減衰を防止するタッチパネル回路」に開示されている。公知のタッチパネルは主に垂直軸方向の電極列１１Ａと水平軸方向の電極列１１Ｂで構成される。抵抗が過大なことによる信号の減衰を防止するため、図１Ｂに示された単一の電極列の簡略化図式のように、電極列１１Ａ、１１Ｂの両端をそれぞれ導線１２、１３で一緒に接続し、さらに接続パッド１４に接続する。図１Ａ／Ｂで示された構成は抵抗の低減が可能であるが、抵抗計／静電容量計（ＲＣメータ）でタッチパネルの抵抗と静電容量を計測するのに不便である。
【０００６】
図２Ａも公知のタッチパネルの概略図を示しており、前述の特許文献１に開示されている。図２Ｂは図２Ａの単一の電極列１１Ａ／Ｂを示している。図１Ａ／Ｂとの相違点は、電極列１１Ａ／Ｂの両端が導線１２、１３によってそれぞれ接続パッド１４Ａ、１４Ｂに接続され、さらに別の導線１５によって前記２つの接続パッド１４Ａ、１４Ｂを電気的に接続することである。
図２Ａ／Ｂの構成に使用される接続パッド１４Ａ、１４Ｂの数は第１Ａ／Ｂ図に示された構成の２倍であり、可撓性印刷回路基板２の面積が増加して、コストもそれに伴って増加し、構造の設計に必要なスペースが大きく制限される。
【０００７】
そこで、本発明者は上記の欠点が改善可能と考え、鋭意検討を重ねた結果、合理的な設計で上記の課題を効果的に改善する本考案の提案に到った。
【０００８】
本考案は、このような従来の問題に鑑みてなされたものである。上記課題解決のため、本考案は、接続パッドの数や接続部材の面積を増やさないことを前提に、抵抗の減少が実現可能な両面式ラミネーションのタッチパネルを提供することを主目的とする。
【０００９】
また、タッチパネルはさらに規定外にダミー（ｄｕｍｍｙ）トレースやダミー接続パッドを設けて、信号干渉や電気ショートを防止することができる。
【課題を解決するための手段】
【００１０】
上記課題を解決し、目的を達成するために、本考案に係る両面式ラミネーションのタッチパネルは、透明基板と、前記透明基板上に形成された複数の第１電極列と、それぞれ前記第１電極列に対応して、各対が第１接続パッドと第２接続パッドからなり、互いに遮断されている複数対の接続パッドと、それぞれ前記第１電極列に対応する複数の第１トレースであって、前記第１電極列の第１端が対応する前記第１トレースによって対応する前記第１接続パッドに接続されるものと、それぞれ前記第１電極列に対応する複数の第２トレースであって、前記第１電極列の第２端が対応する前記第２トレースによって対応する前記第２接続パッドに接続されるものと、からなることを特徴とする。
【考案の効果】
【００１１】
本考案によれば、抵抗の減少が可能なだけでなく、接続パッドの数や可撓性印刷回路基板の面積を増やさない両面式ラミネーションのタッチパネルが得られる。
【図面の簡単な説明】
【００１２】
【図１Ａ】公知のタッチパネルの概略図である。
【図１Ｂ】図１Ａの単一の電極列である。
【図２Ａ】別の公知のタッチパネルの概略図である。
【図２Ｂ】図２Ａの単一の電極列である。
【図３Ａ】本考案に係る第１実施形態における両面式ラミネーションのタッチパネルの概略図である。
【図３Ｂ】図３Ａの単一の第１電極列である。
【図４Ａ】本考案に係る第２実施形態における両面式ラミネーションのタッチパネルの概略図である。
【図４Ｂ】図４Ａの単一の第１電極列である。
【図４Ｃ】図４Ａの単一の第２電極列である。
【図５】図４Ａのタッチパネルの簡略化されたブッロク図である。
【図６】ダミー接続パッドと一般接続パッドである。
【考案を実施するための形態】
【００１３】
以下に図面を参照して、本考案を実施するための形態について、詳細に説明する。なお、本考案は、以下に説明する実施形態に限定されるものではない。
まず、本考案の両面式ラミネーションのタッチパネルの第１実施形態について説明する。
【実施例１】
【００１４】
図３Ａは本考案に係る第１実施形態の両面式（ｄｏｕｂｌｅ  ｓｉｄｅ）ラミネーションのタッチパネル３００の概略図を示している。
本実施形態では、タッチパネル３００は複数の第１電極列３１（図３Ａでは６個の第１電極列３１を例示）からなり、互いに実質的に平行に透明基板３上に形成される。透明基板３の材質は、ガラス、感光素材、又はポリエチレンテレフタレート（ＰＥＴ）といった絶縁材料であるが、これらに限定されない。透明基板３上にさらに複数の第１トレース（ｔｒａｃｅ）３２、複数の第２トレース３３、及び複数対の接続パッド（ｃｏｎｎｅｃｔｉｎｇ  ｐａｄ）３４を形成し、それぞれ前記第１電極列３１に対応させる。
各対の接続パッド３４は第１接続パッド３４１と第２接続パッド３４２からなり、両者の間隔は使用ニーズに応じて調整することができる。実施形態では、第１接続パッド３４１と第２接続パッド３４２の間隔は１０−４０ミクロンであるが、２０ミクロンが好ましい。
詳述すると、第１電極列３１の第１端３１１は第１トレース３２によって第１接続パッド３４１に接続され、第１電極列３１の第２端３１２は第２トレース３３によって第２接続パッド３４２に接続される。
【００１５】
図３Ｂは図３Ａにおける１個の第１電極列３１とこれに対応する第１トレース３２、第２トレース３３、第１接続パッド３４１、及び第２接続パッド３４２を示している。
図３Ｂでは、さらに規定外で、複数の接合パッド（ｂｏｎｄｉｎｇ  ｐａｄ）４１を備えて前記接続パッド３４に対応する可撓性印刷回路基板（ＦＰＣ）のような接続部材４を示している。接合パッド４１と接続パッド３４が対向してラミネートされると、第１接続パッド３４１と第２接続パッド３４２が電気的に導通される。
【００１６】
図３Ａと図３Ｂに開示されたタッチパネル３００に基づき、第１トレース３２と第２トレース３３は両面式の構成を形成して、第１電極列３１の全体の抵抗を低減することができる。接続部材４とラミネートするまでは、第１接続パッド３４１と第２接続パッド３４２の間は遮断されていることから、抵抗計／静電容量計（ＲＣメータ）でタッチパネル３００の抵抗と静電容量を計測するように、測定機器でタッチパネル３００をテストするのに適している。
これに対して、公知のタッチパネル（例：図１Ａ、図１Ｂ）では、可撓性回路基板をラミネートするまでに、電極列の両端のトレースが電気的に接続されていることから、抵抗と静電容量を計測することができない。
【００１７】
また、本実施形態の接続パッド３４は接合パッド４１とラミネートすると、第１電極列３１の両端の第１トレース３２、第２トレース３３を電気的に接続し、接続部材４によってタッチパネル３００の信号を制御装置（図示せず）に伝送することができる。
公知のタッチパネル（例：図２Ａ／Ｂ）に比べて、本実施形態で使用される接続パッド３４の数は公知のタッチパネルの半分に過ぎないため、接続部材４の面積の低減が可能であり、コスト低減が可能なだけでなく、工程を簡素化して、構造設計に更に多くのスペースを提供できる。
【００１８】
次は、本考案の両面式ラミネーションのタッチパネルの第２実施形態について説明する。
【実施例２】
【００１９】
本考案の第２実施形態の構成を図４Ａから図５に示す。図４Ａは本考案に係る第２実施形態における両面式ラミネーションのタッチパネル４００の概略図である。
第１実施形態との相違点は、本実施形態では、（垂直方向に）複数の第１電極列３１Ａを形成する以外に、（水平方向に）複数の第２電極列３１Ｂを形成する点である。また、第１電極列３１Ａと第２電極列３１Ｂの接続箇所に絶縁ブロック３０を設け、第１電極列３１Ａと第２電極列３１Ｂを互いに電気的に絶縁する。
第１電極列３１Ａと第２電極列３１Ｂは実質的に垂直であるものの、これに限定されない。各第１電極列３１Ａは直列に接続された複数の第１電極３１０Ａ（例：６個の直列接続の菱形電極を図示）を備え、各第２電極列３１Ｂは直列に接続された複数の第２電極３１０Ｂ（例：７個の直列接続の菱形電極を図示）を備える。
【００２０】
図４Ｂは図４Ａにおける１個の第１電極列３１Ａとこれに対応する第１トレース３２Ａ、第２トレース３３Ａ、及び接続パッド３４Ａ（第１接続パッド３４１Ａと第２接続パッド３４２Ａを含む）である。
なお、図４Ｃは図４Ａにおける１個の第２電極列３１Ｂとこれに対応する第１トレース３２Ｂ、第２トレース３３Ｂ、及び接続パッド３４Ｂ（第１接続パッド３４１Ｂと第２接続パッド３４２Ｂを含む）である。
【００２１】
図５は図４Ａのタッチパネル４００を簡略化したブロック図である。
前記第１電極列３１Ａと第２電極列３１Ｂはタッチ能動態領域５１内にあり、その上下に各々Ｘトレース（前記第１電極列３１Ａの第１トレース３２Ａ、第２トレース３３Ａに対応）を有することから両面式を構成する。タッチ能動態領域５１の左右に各々Ｙトレース（前記第２電極列３１Ｂの第１トレース３２Ｂ、第２トレース３３Ｂに対応）を有し、やはり両面式を構成する。
本明細書では、Ｘトレースは第１軸方向のトレースとも云い、また、Ｙトレースは第２軸方向のトレースとも云う。図５はさらに、ＸトレースとＹトレースの間に設けられて、信号間の干渉を低減するためのダミー（ｄｕｍｍｙ）トレース５２を示している。
【００２２】
本実施形態の別の特徴に基づき、前記接続パッド３４Ａ／Ｂの間、或いは、接続パッド３４Ａ／Ｂと電源パッド（例：ＧＮＤ）の間にさらに、図６に示すように、規定外でダミー（ｄｕｍｍｙ）接続パッド３５を設けることができる。接続パッド３４Ａ／Ｂと接続部材４をラミネートすると、ダミー接続パッド３５は接続パッド３４Ａ／Ｂの間、又は、接続パッド３４Ａ／Ｂと電源パッドの間の電気ショートを防止することができる。
【００２３】
以上、本考案の実施形態について図面を参照して詳述したが、本考案の具体的な構成はこの実施形態に限られるものではなく、本考案の要旨を逸脱しない範囲の設計変更等も含まれる。
【符号の説明】
【００２４】
２        可撓性印刷回路基板
１１Ａ    垂直軸方向の電極列
１１Ｂ    水平軸方向の電極列
１２      導線
１３      導線
１４      接続パッド
１５      導線
３００    タッチパネル
４００    タッチパネル
３        透明基板
３０      絶縁ブロック
３１、３１Ａ、３１Ｂ  第１電極列
３１０Ａ  第１電極
３１０Ｂ  第２電極
３１１    第１端
３１２    第２端
３２、３２Ａ、３２Ｂ  第１トレース
３３、３３Ａ、３３Ｂ  第２トレース
３４、３４Ａ、３４Ｂ  接続パッド
３４１、３４１Ａ、３４１Ｂ  第１接続パッド
３４２、３４２Ａ、３４２Ｂ  第２接続パッド
３５      ダミー接続パッド
４        接続部材
４１      接合パッド
５１      タッチ能動態領域
５２      ダミートレース
【図１Ａ】
0003183453.tif 000003
【図１Ｂ】
0003183453.tif 000004
【図２Ａ】
0003183453.tif 000005
【図２Ｂ】
0003183453.tif 000006
【図３Ａ】
0003183453.tif 000007
【図３Ｂ】
0003183453.tif 000008
【図４Ａ】
0003183453.tif 000009
【図４Ｂ】
0003183453.tif 000010
【図４Ｃ】
0003183453.tif 000011
【図５】
0003183453.tif 000012
【図６】
0003183453.tif 000013